(57)【要約】【課題】  生体反応を検出するセンサを設けなくても、使用者の状況に適合した生体刺激信号を自動的に選択できるようにする。【解決手段】  複数種類の生体刺激信号（所定周波数帯域の脳波を誘導する光信号、音信号、振動信号、超音波信号、電磁波信号など）を出力する携帯電話機であって、現在位置を特定する現在位置特定手段（ＧＰＳ受信部１０）と、周囲の音を検出する音検出手段（通話用マイクロフォン３３）と、現在位置及び周囲の音にもとづいて、生体刺激信号を自動的に選択する信号自動選択手段（制御部６０）とを備える。【選択図】  図５
2006136464.tif 000002
【特許請求の範囲】
【請求項１】
複数種類の生体刺激信号を出力する携帯電話機であって、
現在位置を特定する現在位置特定手段と、
周囲の音を検出する音検出手段と、
現在位置及び周囲の音にもとづいて、生体刺激信号を自動的に選択する信号自動選択手段と、
を備えることを特徴とする携帯電話機。
【請求項２】
前記生体刺激信号が、所定周波数帯域の脳波を誘導する光信号、音信号、振動信号、超音波信号及び／又は電磁波信号であり、その種類が、周波数帯域及び／又は誘導媒体にもとづいて規定されることを特徴とする請求項１記載の携帯電話機。
【請求項３】
前記生体刺激信号が、着信報知用のランプ、スピーカ及び／又はバイブレータから出力されることを特徴とする請求項１又は２記載の携帯電話機。
【請求項４】
前記現在位置特定手段が、ＧＰＳ受信部であることを特徴とする請求項１〜３のいずれかに記載の携帯電話機。
【請求項５】
前記音検出手段が、通話用のマイクロフォンであることを特徴とする請求項１〜４のいずれかに記載の携帯電話機。
【請求項６】
複数種類の生体刺激信号を出力する携帯電話機に適用され、当該携帯電話機を動作させるプログラムであって、
前記携帯電話機に、現在位置を特定させるとともに、周囲の音を検出させ、現在位置及び周囲の音にもとづいて、生体刺激信号を自動的に選択させることを特徴とする携帯電話機用プログラム。
【請求項７】
着信報知用のランプ、スピーカ及び／又はバイブレータを用いて、生体刺激信号を出力させることを特徴とする請求項６記載の携帯電話機用プログラム。
【請求項８】
ＧＰＳ受信部を用いて、現在位置を特定させることを特徴とする請求項６又は７記載の携帯電話機用プログラム。
【請求項９】
通話用のマイクロフォンを用いて、周囲の音を検出させることを特徴とする請求項６〜８のいずれかに記載の携帯電話機用プログラム。
【発明の詳細な説明】
【技術分野】
【０００１】
本発明は、複数種類の生体刺激信号を出力する携帯電話機及びそのプログラムに関する。
【背景技術】
【０００２】
人間の身体的及び／又は精神的な状態と、脳波との間には、密接な関係があることが知られている。例えば、活動状態では、脳波にβ波（１４〜３０Ｈｚ）が多く含まれ、リラックス状態では、脳波にα波（８〜１３Ｈｚ）が多く含まれ、睡眠状態では、脳波にθ波（４〜７Ｈｚ）が多く含まれ、熟睡状態では、脳波にδ波（０．５〜３Ｈｚ）が多く含まれる。
【０００３】
近年、生体刺激信号により、所定周波数帯域の脳波を誘導する脳波誘導装置（バイオフィードバック装置）が提案されている（例えば、特許文献１〜３参照）。このような脳波誘導装置によれば、例えば、８〜１３Ｈｚの生体刺激信号で身体に刺激を与え、α波を誘導することにより、心身をリラックス状態に導き、ストレスを軽減させることができる。
【０００４】
また、携帯可能な脳波誘導装置も提案されている（例えば、特許文献４〜６参照）。このような脳波誘導装置によれば、使用する場所や時間を制限されることなく、様々な状況下で脳波誘導を行い、心身のバランスを保つことができる。また、特許文献６には、脳波誘導装置を携帯電話機に適用することも示唆されている。
【特許文献１】特公平０６−０４２９０８号公報
【特許文献２】特許第２９０２６１７号公報
【特許文献３】実用新案登録第３０８７１４２号公報
【特許文献４】特開平１１−１６９５５８号公報
【特許文献５】特開２０００−１１６７８５号公報
【特許文献６】特開２００１−２５２２６５号公報
【発明の開示】
【発明が解決しようとする課題】
【０００５】
しかしながら、特許文献６に記載の脳波誘導装置は、使用者の生体反応（脳波、脈拍、体温、発汗、呼吸など）を検出し、この生体反応に応じて生体刺激信号を出力するように構成されているので、携帯電話機に適用する場合、生体反応を検出するためのセンサが別途必要になる。その結果、携帯電話機の大掛かりな改造が必要になり、大幅なコストアップを招来するという問題がある。
【０００６】
本発明は、上記の事情にかんがみなされたものであり、複数種類の生体刺激信号を出力するものでありながら、生体反応を検出するセンサを設けることなく、使用者の状況に適合した生体刺激信号を自動的に選択できるようにし、その結果、携帯電話機の大掛かりな改造が不要となり、大幅なコストダウンが図れる携帯電話機及び携帯電話機用プログラムの提供を目的とする。
【課題を解決するための手段】
【０００７】
上記目的を達成するため本発明の携帯電話機は、複数種類の生体刺激信号を出力する携帯電話機であって、現在位置を特定する現在位置特定手段と、周囲の音を検出する音検出手段と、現在位置及び周囲の音にもとづいて、生体刺激信号を自動的に選択する信号自動選択手段と、を備える構成としてある。
【０００８】
このように構成すれば、携帯電話機から複数種類の生体刺激信号を出力するにあたり、携帯電話機に生体反応を検出するセンサを設けなくても、使用者の状況に適合した生体刺激信号を自動的に選択することが可能になる。これにより、携帯電話機の大掛かりな改造を不要にし、大幅なコストダウンを図ることができる。
【０００９】
また、本発明の携帯電話機は、前記生体刺激信号が、所定周波数帯域の脳波を誘導する光信号、音信号、振動信号、超音波信号及び／又は電磁波信号であり、その種類が、周波数帯域及び／又は誘導媒体にもとづいて規定される構成としてある。
このように構成すれば、周波数帯域や誘導媒体が相違する複数種類の生体刺激信号を用いて、使用者の脳波誘導を行うことができる。
【００１０】
また、本発明の携帯電話機は、前記生体刺激信号が、着信報知用のランプ、スピーカ及び／又はバイブレータから出力される構成としてある。
このように構成すれば、携帯電話機に設けられる既存のデバイスを利用して、生体刺激信号を出力することが可能になる。
【００１１】
また、本発明の携帯電話機は、前記現在位置特定手段が、ＧＰＳ受信部で構成してある。
このように構成すれば、携帯電話機に設けられる既存のＧＰＳ受信部を利用して、現在位置を特定することが可能になる。
【００１２】
また、本発明の携帯電話機は、前記音検出手段が、通話用のマイクロフォンで構成してある。
このように構成すれば、携帯電話機に設けられる既存のマイクロフォンを利用して、周囲の音を検出することが可能になる。
【００１３】
また、本発明の携帯電話機用プログラムは、複数種類の生体刺激信号を出力する携帯電話機に適用され、当該携帯電話機を動作させるプログラムであって、前記携帯電話機に、現在位置を特定させるとともに、周囲の音を検出させ、現在位置及び周囲の音にもとづいて、生体刺激信号を自動的に選択させる構成としてある。
このように構成すれば、本発明を携帯電話機用プログラムとして提供することができる。
【００１４】
また、本発明の携帯電話機用プログラムは、着信報知用のランプ、スピーカ及び／又はバイブレータを用いて、生体刺激信号を出力させる構成としてある。
このように構成すれば、携帯電話機に設けられる既存のデバイスを利用して、生体刺激信号を出力することが可能になる。
【００１５】
また、本発明の携帯電話機用プログラムは、ＧＰＳ受信部を用いて、現在位置を特定させる構成としてある。
このように構成すれば、携帯電話機に設けられる既存のＧＰＳ受信部を利用して、現在位置を特定することが可能になる。
【００１６】
また、本発明の携帯電話機用プログラムは、通話用のマイクロフォンを用いて、周囲の音を検出させる構成としてある。
このように構成すれば、携帯電話機に設けられる既存のマイクロフォンを利用して、周囲の音を検出することが可能になる。
【発明の効果】
【００１７】
以上のように、本発明によれば、複数種類の生体刺激信号を出力するものでありながら、生体反応を検出するセンサを設けることなく、使用者の状況に適合した生体刺激信号を自動的に選択することが可能になる。その結果、携帯電話機の大掛かりな改造を不要にし、大幅なコストダウンが図れる。
【発明を実施するための最良の形態】
【００１８】
以下、本発明の実施形態について、図面を参照して説明する。
図１は、携帯電話機（折畳型）の背面図、図２は、携帯電話機（ストレート型）の背面図及び正面図、図３は、携帯電話機の構成を示すブロック図である。
【００１９】
これらの図に示すように、本実施形態の携帯電話機は、ＧＰＳ受信部１０（現在位置特定手段）、携帯電話送受信部２０、入力部３０、出力部４０、記憶部５０、制御部６０などを備えて構成されている。
ＧＰＳ受信部１０は、ＧＰＳアンテナ１１を介して、３以上のＧＰＳ衛星からの測位信号を受信し、これらの測位信号にもとづいて、携帯電話機の現在位置（緯度及び経度）を特定する。
携帯電話送受信部２０は、携帯電話アンテナ２１を介して、基地局との間で携帯電話用の電波信号を送受信する。
【００２０】
入力部３０は、文字入力ボタン３１、モード切換ボタン３２、通話用マイクロフォン３３（音検出手段）、カメラ３４などを有し、出力部４０は、通話用スピーカ４１、着信報知用ランプ４２、着信報知用スピーカ４３、着信報知用バイブレータ４４、ディスプレイ４５などを有する。
記憶部５０は、電話帳データや、後述のモード登録データを記憶する。
制御部６０は、携帯電話機の各部を制御する部分であり、プログラムにより実現する機能的な構成として、通話処理手段、生体刺激信号出力手段、モード登録手段、モード自動選択手段（信号自動選択手段）、モード手動選択手段などを備える。なお、通話処理手段は、通常の携帯電話制御であるため、説明を省略する。
【００２１】
生体刺激信号出力手段は、光信号、音信号、振動信号などの生体刺激信号を携帯電話機から出力させる。これらの生体刺激信号は、所定周波数帯域の脳波を誘導するものであり、例えば、β波（１４〜３０Ｈｚ）、α波（８〜１３Ｈｚ）、θ波（４〜７Ｈｚ）、δ波（０．５〜３Ｈｚ）などの誘導を行う。
光からなる生体刺激信号は、着信報知用ランプ４２の点滅により出力することができ、その点滅周波数にもとづいて、β波誘導用光信号、α波誘導用光信号、θ波誘導用光信号、δ波誘導用光信号などを生成することができる。
音からなる生体刺激信号は、着信報知用スピーカ４３から出力することができ、その音源周波数にもとづいて、β波誘導用音信号、α波誘導用音信号、θ波誘導用音信号、δ波誘導用音信号などを生成することができる。
振動からなる生体刺激信号は、着信報知用バイブレータ４４から出力することができ、その振動周波数にもとづいて、β波誘導用振動信号、α波誘導用振動信号、θ波誘導用振動信号、δ波誘導用振動信号などを生成することができる。
【００２２】
図４は、モード登録データの説明図である。
この図に示すように、モード登録手段は、位置や周囲の音に関連付けて、任意の生体刺激信号を登録する手段である。例えば、モード１は、現在位置が自宅で、かつ、周囲に物音がないとき、θ波誘導用の音信号を出力することを示しており、また、モード２は、現在位置が自宅で、かつ、周囲に物音があるとき、α波誘導用の光信号を出力することを示しており、また、モード３は、現在位置が職場で、かつ、周囲に物音がないとき、α波誘導用の振動信号を出力することを示している。
【００２３】
なお、位置の登録方法としては、ＧＰＳ受信部１０が特定した現在位置（緯度、経度）を登録する方法、緯度、経度を直接入力する方法、予め登録した位置情報（名称及び緯度、経度）から選択する方法、表示した地図上で位置を選択する方法などが挙げられる。
また、周囲の音条件としては、音の有無だけでなく、音の種類（声、音楽、騒音など）を指定するようにしてもよい。この場合、音声認識技術を用いて、周囲の音を識別する必要があるが、より細かい条件を登録することが可能になる。
【００２４】
図５は、モード自動選択の概念を示すブロック図である。
この図に示すように、モード自動選択手段は、現在位置及び周囲の音にもとづいて、モード（生体刺激信号の種類）を自動的に選択し、そのモードに対応した生体刺激信号を出力させる。具体的には、ＧＰＳ受信部１０が特定した現在位置と、通話用マイクロフォン３３が検出した周囲の音をもとに、登録モードを検索し、適合モードの生体刺激信号を選択する。
【００２５】
例えば、周囲の音が無音で、持ち主の声が小声であって、かつ平日の昼間の場合は、仕事中と判定し、身体活動状態であるものと判断する。また、周囲の音が無音で、持ち主の声が小声であって、かつ休日の昼間の場合は、くつろいでいるものと判定し、リラックス状態と判断する。さらに、平日休日にかかわらず深夜であれば自宅でくつろいでいるものと判定し、リラックス状態と判断します。このように、モード自動選択の場合は、時間帯，周囲の音，声の大きさなどがキーとなる。
【００２６】
モード手動選択手段は、生体刺激信号を手動で選択するための手段である。例えば、モード切換ボタン３２が押されると、ディスプレイ４５に生体刺激信号の選択画面を表示し、ここで選択された生体刺激信号を出力させる。
なお、モードを手動で選択する場合は、タイマ機能を設け、所定時間後に信号出力を自動停止させることが好ましい。
【００２７】
つぎに、制御部６０の処理手順について、図６を参照して説明する。
図６は、脳波誘導に係る処理手順を示すフローチャート、図７は、モード自動選択に係る処理手順を示すフローチャートである。
【００２８】
図６に示すように、制御部６０は、前記モード登録手段に相当するモード登録処理（Ｓ１０１）を行うとともに、モード自動選択が有効であるか否かを判断し（Ｓ１０２）、この判断結果がＹＥＳのとき、前記モード自動選択手段に相当するモード自動選択処理（Ｓ１０３）を行い、判断結果がＮＯのとき、前記モード手動選択手段に相当するモード手動選択処理（Ｓ１０４）を行う。そして、モード自動選択処理又はモード手動選択処理を実行した後は、前記生体刺激信号出力手段に相当する生体刺激信号出力処理（Ｓ１０５）を実行し、一連の処理が終わる。
【００２９】
図７に示すように、モード自動選択処理では、ＧＰＳ受信部１０から周期的に位置情報を取得し、現在位置の特定を行う（Ｓ２０１）。つぎに、特定した現在位置と、各モードに登録されている位置とを照合し（Ｓ２０２）、現在位置がいずれかの登録位置と一致する場合は、そのモードの音条件と、周囲の音を比較する（Ｓ２０３）。そして、音条件を満たす場合は、そのモードの生体刺激信号を出力信号にセットして処理を終える（Ｓ２０４）。
【００３０】
以上のように構成された本実施形態の携帯電話機によれば、現在位置を特定する現在位置特定手段と、周囲の音を検出する音検出手段と、現在位置及び周囲の音にもとづいて、生体刺激信号を自動的に選択する信号自動選択手段とを備えるので、携帯電話機から複数種類の生体刺激信号を出力するにあたり、携帯電話機に生体反応を検出するセンサを設けなくても、使用者の状況に適合した生体刺激信号を自動的に選択することが可能になる。これにより、携帯電話機の大掛かりな改造を不要にし、大幅なコストダウンを図ることができる。
【００３１】
また、生体刺激信号は、所定周波数帯域の脳波を誘導する光信号、音信号、振動信号などであり、その種類が、周波数帯域や誘導媒体にもとづいて規定されるので、周波数帯域や誘導媒体が相違する複数種類の生体刺激信号を用いて、使用者の脳波誘導を行うことができる。
【００３２】
また、生体刺激信号は、着信報知用のランプ４２、スピーカ４３、バイブレータ４４などから出力されるので、携帯電話機に設けられる既存のデバイスを利用して、生体刺激信号を出力することが可能になる。
【００３３】
また、現在位置特定手段は、ＧＰＳ受信部１０で構成されるので、携帯電話機に設けられる既存のＧＰＳ受信部１０を利用して、現在位置を特定することが可能になる。
【００３４】
また、音検出手段は、通話用のマイクロフォン３３で構成されるので、携帯電話機に設けられる既存のマイクロフォン３３を利用して、周囲の音を検出することが可能になる。
なお、本発明は、前記実施形態に限定されないことは勿論である。例えば、生体刺激信号としては、前記した光信号、音信号、振動信号にほかに、超音波信号、電磁波信号などを用いてもよい。
【００３５】
また、本発明は、生体反応検出センサが設けられた携帯電話機でも実施することができる。この場合、生体反応（脳波、脈拍、体温、発汗、呼吸など）にもとづいて、使用者の身体的及び精神的な状態をより正確に認識した上で、適切な生体刺激信号を選択することが可能になる。
例えば、脳波，脈拍，体温，発汗，呼吸等の各状態によってそれぞれパターンをおおまかに分けておき、それらを基準に判断する。パターン分けについては、実際にデータを採取して決定する。また、状態の確認は、そのデータにもとづいて単純にどのパターンが選択されたかを表示するようなかたちとすることができる。
【産業上の利用可能性】
【００３６】
本発明は、複数種類の生体刺激信号を出力する携帯電話機に適用される。特に、ＧＰＳ受信部を備える携帯電話機に適用すると、プログラムを追加する程度の簡単な変更によって、生体刺激信号の自動選択機能を付加することができる。
【図面の簡単な説明】
【００３７】
【図１】携帯電話機（折畳型）の背面図である。
【図２】携帯電話機（ストレート型）の背面図及び正面図である。
【図３】携帯電話機の構成を示すブロック図である。
【図４】モード登録データの説明図である。
【図５】モード自動選択の概念を示すブロック図である。
【図６】脳波誘導に係る処理手順を示すフローチャートである。
【図７】モード自動選択に係る処理手順を示すフローチャートである。
【符号の説明】
【００３８】
１０  ＧＰＳ受信部
２０  携帯電話送受信部
３１  文字入力ボタン
３２  モード切換ボタン
３３  通話用マイクロフォン
４１  通話用スピーカ
４２  着信報知用ランプ
４３  着信報知用スピーカ
４４  着信報知用バイブレータ
５０  記憶部
６０  制御部
【図１】
2006136464.tif 000003
【図２】
2006136464.tif 000004
【図３】
2006136464.tif 000005
【図４】
2006136464.tif 000006
【図５】
2006136464.tif 000007
【図６】
2006136464.tif 000008
【図７】
2006136464.tif 000009